(57)【特許請求の範囲】
【請求項１】
胴部２の上面を閉塞する頂壁３の前部に排出孔４を穿設した容器本体１と、該容器本体の排出孔４内へ、底壁９の周縁から起立する周壁８の上部外面を嵌合させ、かつ該周壁の上端に外向きフランジ状壁10を付設した蓋体７と、上記頂壁３の上面に載置された開蓋用板体11とからなり、該板体は、後方板部分に指掛け孔15を、かつ前方板部分に嵌合孔12を、それぞれ穿設すると共に、その嵌合孔12内に上記蓋体７を嵌合させて、嵌合孔12周囲を、上記排出孔４周囲の頂壁３部分と蓋体の外向きフランジ状壁10とで挟持させ、又上記外向きフランジ状壁10の外周縁後部下方の板部分から適当数の係合板13を起立し、かつ該係合板の上部前面に付設した係合突部14の下面を上記外向きフランジ状壁10の後部上面に係合させてなることを特徴とする開蓋用板体付き容器。
【請求項２】
指掛け孔15と嵌合孔12との間の板体部分左右両側縁に板状リブ16, 16を付設した請求項１記載の開蓋用板体付き容器。
【発明の詳細な説明】
【０００１】
【発明の属する技術分野】
本発明は、開蓋用板体付き容器に関する。
【０００２】
【従来の技術】
【０００３】
【発明が解決しようとする課題】
従来、胴部上端を閉塞する頂壁の前部に排出孔を穿設した金属製容器体と、その排出孔内へ嵌合させて該排出孔を閉塞する浅皿状の蓋体とからなる容器が周知であり、該容器は、構造が簡易で廉価に作製できる利点があるものの、閉蓋状態では蓋体に指先を掛ける手掛かりが殆どないので、蓋体をきつく閉め過ぎて開蓋することが困難となることがあった。
【０００４】
本発明は、板状の開蓋具によって梃子の原理で蓋体を押し上げるよう形成することで、蓋体を容易に開蓋できるよう設けた。
【０００５】
【課題を解決するための手段】
第１の手段として、胴部２の上面を閉塞する頂壁３の前部に排出孔４を穿設した容器本体１と、該容器本体の排出孔４内へ、底壁９の周縁から起立する周壁８の上部外面を嵌合させ、かつ該周壁の上端に外向きフランジ状壁10を付設した蓋体７と、上記頂壁３の上面に載置された開蓋用板体11とからなり、該板体は、後方板部分に指掛け孔15を、かつ前方板部分に嵌合孔12を、それぞれ穿設すると共に、その嵌合孔12内に上記蓋体７を嵌合させて、嵌合孔12周囲を、上記排出孔４周囲の頂壁３部分と蓋体の外向きフランジ状壁10とで挟持させ、又上記外向きフランジ状壁10の外周縁後部下方の板部分から適当数の係合板13を起立し、かつ該係合板の上部前面に付設した係合突部14の下面を上記外向きフランジ状壁10の後部上面に係合させてなる。
【０００６】
第２の手段として、第１の手段を有すると共に、指掛け孔15と嵌合孔12との間の板体部分左右両側縁に板状リブ16, 16を付設した。
【０００７】
【発明の実施の形態】
本発明の容器は、容器本体１、蓋体７および容器本体１頂壁の上面に載置された開蓋用板体11とで形成され、容器本体１は、金属製であり、横断面形状矩形とした胴部２の上面を閉塞する頂壁３前部に排出孔４を穿設すると共に、該排出孔の周縁から嵌合短筒部５を垂設し、又胴部２の上端を巻き締めして、該巻き締め部分を頂壁３上方に起立する起立壁６としている。
【０００８】
蓋体７は、上記容器本体の嵌合短筒部５内へ、底壁９の周縁から起立する周壁８の上部外面を嵌合させ、かつ該周壁の上端に外向きフランジ状壁10を付設したものであり、金属材で形成している。
【０００９】
開蓋用板体11は、図４が示すように、前方板部分に嵌合孔12を有し、該嵌合孔内に蓋体の周壁８上端部外面を嵌合させて、図１のように嵌合孔12周囲を、上記排出孔４周囲の頂壁部分と蓋体の外向きフランジ状壁10とで挟持させ、又外向きフランジ状壁10の外周縁後部下方の板部分から左右一対の係合板13, 13を起立し、かつこれ等係合板の上部前面に付設した係合突部14, 14の下面を、図２のように上記外向きフランジ状壁10の後部上面に係合させ、又それ等係合板13, 13下端前方の板部分を金型離型の都合上から切り欠いている。更に、開蓋用板体11は、後方板部分に指掛け孔15を有し、かつその後方板部分を一段高くして容器本体頂壁３の後部上面との間に隙間をあけることで、指掛け孔15に指を掛け易いよう設け、又その指掛け孔15と上記嵌合孔12間の板部分左右両側縁に板状リブ16, 16を付設し、開蓋時に指掛け孔15と嵌合孔12間の板部分が弾性変形することを防止している。
【００１０】
図５は、別実施形態で示す開蓋用板体11であり、該板体は、係合板13を幅広に形成して、係合突部14と外向きフランジ状壁10の接触面積を大としている。又係合板13と係合突部14には、適当数の縦割溝を連続形成すればよく、これによって、係合突部14を外向きフランジ状壁10の後部上面へ容易に係合できるようになる。
【００１１】
蓋体７を開蓋する場合には、図１が示す状態から、開蓋用板体11の後部を上前方へ引き上げる。すると、外向きフランジ状壁10の後部下面に当接する板体部分によって、蓋体７が押し上げられて開蓋する。又嵌合孔12周囲の板体部分が外向きフランジ状壁10下面に、かつ係合突部14の下面が外向きフランジ状壁10の後部上面に、それぞれ当接しているので、蓋体周壁８が嵌合孔12から下方又は上方へ抜け出すことが阻止され、開蓋時に蓋体７が嵌合孔12から外れることがない。又蓋体７を閉蓋させる場合には、蓋体の周壁８上端部外面を嵌合孔12内へ嵌合させた状態で、蓋体周壁８を排出孔４内へ嵌合させる。
【００１２】
尚開蓋用板体11は、合成樹脂材により成形する。
【００１３】
【発明の効果】
本発明は、上記構成とするものであり、請求項１記載の発明は、開蓋用板体11の前方板部分に穿設した嵌合孔12に蓋体７を嵌合させて、その嵌合孔12周囲を、排出孔４周囲の頂壁３部分と蓋体の外向きフランジ状壁10とで挟持させたから、開蓋用板体11の後部を上前方へ引き上げることで、蓋体７を梃子の原理で押し上げて容易に開蓋させることができ、又上記のように、排出孔４周囲の頂壁３部分と蓋体の外向きフランジ状壁10とによって嵌合孔12周囲を挟持させ、又外向きフランジ状壁10の外周縁後部下方の板体部分から係合板13を起立し、かつ該係合板の上部前面に付設した係合突部14の下面を外向きフランジ状壁10の後部上面に係合させたから、嵌合孔12周囲の板体部分が外向きフランジ状壁10の下面に、かつ係合突部14の下面が外向きフランジ状壁10の後部上面に、それぞれ当接することとなって、開蓋時に蓋体７が嵌合孔12内から外れることが防止され、更に、容器本体の頂壁３上面に開蓋用板体11を載置させたから、該板体が流通過程で邪魔になることがない。
【００１４】
請求項２記載の発明は、指掛け孔15と嵌合孔12との間の板体部分左右両側縁に板状リブ16, 16を付設したから、蓋体７を押し上げる際、指掛け孔15と嵌合孔12との間の板体部分が弾性変形することが防止され、蓋体を容易に押し上げできる。
【図面の簡単な説明】
【図１】  本発明の一実施形態を示す要部の縦断面図である。
【図２】  同実施形態の平面図である。
【図３】  図２Ａ−Ａ線を矢示方向に見た縦断面図である。
【図４】  開蓋用板体の斜視図である。
【図５】  他の実施形態で示す開蓋用板体の要部の斜視図である。
【符号の説明】
11…開蓋用板体  12…嵌合孔
13…係合板      14…係合突部
15…指掛け孔
【図１】
0003929640.tif 000002
【図２】
0003929640.tif 000003
【図３】
0003929640.tif 000004
【図４】
0003929640.tif 000005
【図５】
0003929640.tif 000006